(57)【要約】【課題】    意外な操作により電飾装置を点灯させることにより、高い演出効果を奏することができる電飾装置を提供する。【解決手段】電気的に発光する発光手段と、該発光手段へ供給される電気を断続するスイッチと、を備えてなる電飾装置であって、該スイッチが、第１電極と第２電極とを有してなり、第１電極と第２電極との間に、外部から供給される導電物を介在させることで該導電物を通じて該発光手段へ電気が供給されるものである、電飾装置である。また、第１電極の少なくとも一部と第２電極の少なくとも一部とが、上方が開放された開放空間に存在しており、前記導電物が該開放空間に上方から供給されることで第１電極と第２電極との間に介在させることができるものであってもよい。【選択図】  図１
2007035284.tif 000002
【特許請求の範囲】
【請求項１】
電気的に発光する発光手段と、該発光手段へ供給される電気を断続するスイッチと、を備えてなる電飾装置であって、
該スイッチが、第１電極と第２電極とを有してなり、第１電極と第２電極との間に、外部から供給される導電物を介在させることで該導電物を通じて該発光手段へ電気が供給されるものである、電飾装置。
【請求項２】
第１電極の少なくとも一部と第２電極の少なくとも一部とが、上方が開放された開放空間に存在しており、前記導電物が該開放空間に上方から供給されることで第１電極と第２電極との間に介在させることができるものである、請求項１に記載の電飾装置。
【請求項３】
前記導電物が導電性の液体、粉体又は粒体である、請求項２に記載の電飾装置。
【請求項４】
前記開放空間に存在する第１電極の最下部分と第２電極の最下部分とのうち高い方を含む水平面以下の前記開放空間が、前記導電物を保持する容器の内部空間により形成されているものである、請求項３に記載の電飾装置。
【請求項５】
第１電極の上面と第２電極の上面とが同一の平面に略属するものであり、前記導電物が、略平面に沿った下面を有してなる導電部材を含んでなるものであり、第１電極の上面と第２電極の上面とに該下面が載置されることで第１電極と第２電極との間に前記導電物が介在可能なものである、請求項２に記載の電飾装置。
【請求項６】
前記開放空間が、下方に向かって窪む凹部の内部空間により形成されるものであり、該凹部の内部空間を規定する壁により前記導電物の水平方向への移動が制限されるものである、請求項５に記載の電飾装置。
【請求項７】
手で把持可能な装飾物が前記導電物の上部に付加されたものである、請求項５又は６に記載の電飾装置。
【請求項８】
前記発光手段が複数の発光体を含んでなり、該複数の発光体のうち少なくとも２の発光体が互いに異なる高さになるように該複数の発光体を支持する支持手段をさらに備えてなるものである、請求項１乃至７のいずれか１に記載の電飾装置。
【請求項９】
前記支持手段は、鉛直方向に所定の大きさを有し前記複数の発光体が配設される内部空間を規定する壁部材を有するものであり、
前記複数の発光体の発光が、該壁部材を通して目視可能なものである、請求項８に記載の電飾装置。
【請求項１０】
前記壁部材の表面又は裏面の少なくとも一方が細かな凹凸が付されているものである、請求項９に記載の電飾装置。
【請求項１１】
前記複数の発光体の発光により生じる光を反射又は屈折する前記内部空間に配設される光干渉手段を前記支持手段が有するものである、請求項９又は１０に記載の電飾装置。
【請求項１２】
前記光干渉手段が、前記内部空間にて該複数の発光体に係合し支持するものである、請求項１１に記載の電飾装置。
【請求項１３】
前記スイッチが前記電飾装置の上端部に配設されるものである、請求項８乃至１２のいずれか１に記載の電飾装置。
【請求項１４】
結婚式披露宴における演出方法であって、
請求項１乃至１３のいずれか１に記載の電飾装置を所定の位置に配設する配設ステップと、
該配設ステップにより配設された電飾装置の第１電極と第２電極との間に導電物を介在させる点灯ステップと、を含んでなる、演出方法。
【発明の詳細な説明】
【技術分野】
【０００１】
本発明は、電飾装置に関し、より詳細には、高い演出効果を奏することができる電飾装置に関する。
【背景技術】
【０００２】
電飾装置は、電気的な発光を用いた装飾装置であり、例えば、結婚式、結婚式披露宴、祝賀会、パーティ、儀式等において良い雰囲気（電飾装置が用いられる場所に要求される雰囲気、例えば、神秘的、幻想的、華やか、荘厳等のような雰囲気。）を演出するのに用いられる。
一方、結婚式披露宴において行われるキャンドルサービスは、新郎新婦が招待客のテーブルの蝋燭に火をつけて回ることで、新郎新婦の門出及び結婚を祝うために従来から行われてきたものであるが、火（蝋燭に灯された火）を用いるものであり防火対策等を要したり、使用済みの蝋燭が無駄になるという問題もあった。
このため結婚式披露宴のキャンドルサービスにおいても、実際の火を使わない電飾装置を用いることも提案されている（例えば、特許文献１参照）。
【０００３】
特許文献１に記載の発明は、「棒状点灯具と、点灯装飾具とからなる点灯装置であって、前記棒状点灯具は、発光体を有する棒状体からなり、該棒状体には、把持者がスイッチングできる操作手段が設けられており、前記点灯装飾具は、装飾体に取付けられた発光体と、該発光体の発光の制御を行うスイッチ手段とを備えてなり、前記棒状点灯具には、操作手段の操作に応じて信号を送信する送信手段が設けられ、前記点灯装飾具のスイッチ手段は、前記棒状点灯具の送信手段からの信号を受信した際に、前記装飾体に取付けられた発光体の発光を行うように設けられていることを特徴とする点灯装置 。」（特許文献１中の請求項４）が開示されている。
かかる電飾装置（特許文献１中では点灯装置）は、「棒状点灯具の棒状体の発光体を発光させておくことにより演出効果が図れるとともに、棒状点灯具の把持者が操作手段をスイッチングすることにより、送信手段から信号が送信でき、この信号を点灯装飾具が受信することにより、点灯装飾具の装飾体に取付けられた発光体を点灯させることが可能となる。つまり、たとえば、点灯装飾具を結婚披露宴の列席者のテーブルに裁置しておき、発光体の発光する棒状点灯具を新郎新婦が把持して、各テーブルに設置された点灯具を新郎新婦が操作手段の操作により点灯せしめることができ、火を使うことなく従来のキャンドルサービスと同様の演出効果を奏することが可能となる。」（特許文献１の発明の詳細な説明中の段落番号００１５）というものである。
【０００４】
【特許文献１】特開２００４−３５５９３０号公報（例えば、発明の詳細な説明中の段落番号０００６〜００１８、請求項１〜５等）
【発明の開示】
【発明が解決しようとする課題】
【０００５】
しかしながら、特許文献１に記載の電飾装置（特許文献１中では点灯装置）は、棒状点灯具と点灯装飾具とからなり、棒状点灯具の把持者が操作手段をスイッチングすることにより、点灯装飾具の装飾体に取付けられた発光体を点灯させるので、発光体の点灯に際して面白味に欠ける面があった。
即ち、テレビジョン受信機、ビデオ再生装置、空調設備、扇風機等においては、本体と離れた場所から操作可能になるようにリモートコントロールの操作端末を設けることは良く知られたことであり（操作端末を操作することで、操作端末から離れた本体を動作させる。）、特許文献１に記載の電飾装置（特許文献１中では点灯装置）における棒状点灯具が操作端末であり、この操作端末を操作することで点灯装飾具の発光体を点灯させることは当たり前で面白味にかけるものであった。
そこで、本発明においては、意外な操作により電飾装置を点灯させることにより、高い演出効果を奏することができる電飾装置を提供することを目的とする。
【課題を解決するための手段】
【０００６】
本発明の電飾装置（以下、「本装置」という。）は、電気的に発光する発光手段と、該発光手段へ供給される電気を断続するスイッチと、を備えてなる電飾装置であって、該スイッチが、第１電極と第２電極とを有してなり、第１電極と第２電極との間に、外部から供給される導電物を介在させることで該導電物を通じて該発光手段へ電気が供給されるものである、電飾装置である。
こうすることで本装置を点灯させようとする者（以下、「点灯者」という。）が、外部から供給される導電物を第１電極と第２電極との間に介在させることで、該導電物を通じて第１電極と第２電極との間に電気が流れ（スイッチが、発光手段へ供給される電気を通す。）、発光手段へ電気が供給され発光手段が点灯する。なお、「外部から供給される導電物」とは、点灯させるための操作（第１電極と第２電極との間に導電物を介在させるための操作）をするまでは本装置に含まれていなかった導電物をいう。点灯者が、このようなそれまでは本装置に含まれていなかった導電物を、本装置の外部から供給し第１電極と第２電極との間に介在させることで発光手段を点灯させることは、本装置の周りで本装置と点灯者とを目視にて観察している者（以下、「観察者」という。）にとって意外なことであり、このような意外な操作（導電物を、本装置の外部から供給し第１電極と第２電極との間に介在させること）により電飾装置を点灯させることは観察者の驚き等を誘うため本装置は高い演出効果を奏することができる。
なお、発光手段としては、電気的に発光するものであり、発光手段に供給する電気を断続することで発光手段の発光も断続することができるものであればいかなるものであってもよく何ら制限されるものではないが、例えば、電球（白熱電球、豆電球等を含む。）や発光ダイオード等を例示することができ、とりわけ消費電力の少なさや発熱の少なさからは発光ダイオードを用いることが好ましい。
【０００７】
第１電極の少なくとも一部と第２電極の少なくとも一部とが、上方が開放された開放空間に存在しており、前記導電物が該開放空間に上方から供給されることで第１電極と第２電極との間に介在させることができるもの（以下、「開放空間装置」という。）であってもよい。
こうすることで本装置が配設された状態（例えば、水平な上面に本装置が載置された状態）において、開放空間は上方が開放されているので、開放された上方から導電物を開放空間に容易かつ確実に供給することができる。そして、第１電極の少なくとも一部と第２電極の少なくとも一部とが開放空間に存在しているので、開放空間に供給された導電物は第１電極と第２電極との間に介在することができ、発光手段を点灯させることができる。
なお、本発明において、「上」、「下」、「水平」、「高」、「低」は、本装置が配設された状態（例えば、水平な上面に本装置が載置された状態）において、「上」、「下」、「水平」、「高」、「低」をいう。
【０００８】
開放空間装置の場合、導電物が導電性の液体、粉体又は粒体であってもよい。このような液体、粉体又は粒体は、流動することができるので、開放された上方から開放空間に容易かつ確実に供給されることができると共に、このような液体、粉体又は粒体を本装置の外部から供給し第１電極と第２電極との間に介在させることで発光手段を点灯させることは、観察者にとって極めて意外なことであり観察者の驚き等を誘うため一層高い演出効果を奏することができる。
なお、導電性の液体、粉体又は粒体としては様々なものが使用されてよく何ら限定されるものではないが、一例を挙げれば、食塩水（導電性の液体）、鉄粉又は鉄粒（導電性の粉体又は粒体）、ステンレス粉又はステンレス粒（導電性の粉体又は粒体）等を例示することができる。
【０００９】
開放空間装置の場合、導電物が導電性の液体、粉体又は粒体であるときは、前記開放空間に存在する第１電極の最下部分と第２電極の最下部分とのうち高い方を含む水平面以下の前記開放空間が、前記導電物を保持する容器の内部空間により形成されているものであってもよい。
導電物が開放された上方から開放空間に供給された後、発光手段を継続して点灯させるためには第１電極と第２電極との間に導電物を継続して介在させる必要がある。一方、導電性の液体、粉体又は粒体は、前述の通り、流動することができるので、第１電極と第２電極との間に導電物を継続的に介在させるためには、開放空間に存在する第１電極の最下部分と第２電極の最下部分とのうち高い方（第１電極の最下部分と第２電極の最下部分とが同じ高さであればいずれでもよい。）を含む水平面以下の前記開放空間が、前記導電物（導電性の液体、粉体又は粒体）を保持する容器の内部空間により形成されるようにしておいてもよい。こうすれば導電物（導電性の液体、粉体又は粒体）が重力等により流動し第１電極と第２電極との間に介在しないことで発光手段の点灯が妨げられることを防止することができる。
【００１０】
開放空間装置の場合、第１電極の上面と第２電極の上面とが同一の平面に略属するものであり、前記導電物が、略平面に沿った下面を有してなる導電部材を含んでなるものであり、第１電極の上面と第２電極の上面とに該下面が載置されることで第１電極と第２電極との間に前記導電物が介在可能なもの（以下、「下面載置装置」という。）であってもよい。
こうすることで同一の平面に略属する第１電極の上面及び第２電極の上面に、導電物の導電部材が有する略平面に沿った下面が載置されることで、導電物の導電部材が安定した状態で第１電極の上面及び第２電極の上面に載置されるので、第１電極と第２電極との間に導電物が安定して介在でき、発光手段を安定して点灯させることができる。
【００１１】
下面載置装置の場合、前記開放空間が、下方に向かって窪む凹部の内部空間により形成されるものであり、該凹部の内部空間を規定する壁により前記導電物の水平方向への移動が制限されるものであってもよい。
こうすることで凹部の内部空間を規定する壁が、前記導電物に当接することで前記導電物の水平方向への移動を制限することから、前記導電物が水平方向へ不意に移動して第１電極と第２電極との間から導電物（導電部材）がずれて介在しなくなること（発光手段の不意の消灯につながる。）を有効に防止することができる。
【００１２】
下面載置装置の場合、手で把持可能な装飾物が前記導電物の上部に付加されたものであってもよい。
こうすることで本装置を装飾することができる装飾物が導電物の上部（装飾物と導電物とが直接連結されている場合と、装飾物と導電物との間が何らかの物を介して連結されている場合と、を含む。）に付加されているので、第１電極と第２電極との間に導電物が介在した状態では装飾物が本装置を装飾することができ、発光手段の点灯と装飾物の装飾とが相俟って一層高い演出効果を奏することができる。そして、装飾物は手で把持可能であり、導電物の上部に付加されているので、装飾物を手で把持することで、第１電極の上面と第２電極の上面とに導電部材の下面を容易かつ確実に載置することができる。
なお、ここにいう「装飾物」とは、本装置を装飾することができるものであればいかなるものであってもよく何ら限定されるものではないが、一例を挙げれば、人形、マスコット、彫刻、縫いぐるみ、模型（例えば、動物の模型、自動車の模型、電車の模型等）等を例示的に挙げることができる。
【００１３】
本装置においては、前記発光手段が複数（２以上）の発光体を含んでなり、該複数の発光体のうち少なくとも２の発光体が互いに異なる高さになるように該複数の発光体を支持する支持手段をさらに備えてなるもの（以下、「複数発光装置」という。）であってもよい。
こうすることで支持手段が、発光手段が含む複数の発光体のうち少なくとも２の発光体が互いに異なる高さになるように支持するので、異なる高さにて少なくとも２の発光体が発光するので、高い演出効果を奏することができる。
【００１４】
複数発光装置の場合、前記支持手段は、鉛直方向に所定の大きさを有し前記複数の発光体が配設される内部空間を規定する壁部材を有するものであり、前記複数の発光体の発光が、該壁部材を通して目視可能なもの（以下、「壁部材装置」という。）であってもよい。
こうすることで観察者（外部空間）と複数の発光体（内部空間）との間に壁部材が存在し、発光体の発光が壁部材を通して観察者により目視可能であるので、発光体の発光による演出効果を損なうことなく、壁部材により発光体を保護することができる。なお、内部空間を規定する壁部材とは、内部空間を壁部材が完全に取り囲む場合のみならず、観察者と複数の発光体との間に壁部材が存在すれば足る。
【００１５】
壁部材装置の場合、前記壁部材の表面又は裏面の少なくとも一方が細かな凹凸が付されているものであってもよい。
こうすることで観察者（外部空間）と複数の発光体（内部空間）との間に配設される壁部材の表面（観察者側）又は裏面（複数の発光体側）の少なくとも一方に細かな凹凸が付される（即ち、つや消し仕上げがなされる。壁部材がガラスにより形成される場合には、すりガラスである。）ので、発光体の発光が壁部材を通してぼんやり観察者に観察され、幻想的又は神秘的といった雰囲気を効果的に演出することができる。
【００１６】
壁部材装置の場合、前記複数の発光体の発光により生じる光を反射又は屈折する前記内部空間に配設される光干渉手段を前記支持手段が有するもの（以下、「光干渉装置」という。）であってもよい。
こうすることで前記内部空間に配設される光干渉手段が、発光体の発光により生じる光を反射及び／又は屈折し干渉させるので、発光体の発光により生じる光を様々に変化させ観察者に看取させることができ、高い演出効果を奏することができる。
なお、光干渉手段としては、発光体の発光により生じる光を反射又は屈折することができるものであればいかなるものであってもよく何ら制限されるものではないが、例えば、光を透過させる薄いフィルム（有色、無色、透明、半透明の別を問わない。）、光を反射する薄いフィルム（有色、無色の別を問わない。）、これらのフィルムをつぶして丸めたようなもの、光を透過させる柱状、塊状、粒状又は粉状のもの（有色、無色、透明、半透明の別を問わない。）、光を反射する柱状、塊状、粒状又は粉状のもの（有色、無色の別を問わない。）、これらの２以上のものを混合したもの等を例示的に挙げることができる。
【００１７】
光干渉装置の場合、前記光干渉手段が、前記内部空間にて該複数の発光体に係合し支持するものであってもよい。
こうすることで発光体の発光により生じる光を反射又は屈折する光干渉手段が、複数の発光体に係合し支持するので、発光体の発光により生じる光を様々に変化させ観察者に看取させることで高い演出効果を奏すると共に、発光体を支持する機能を発揮することができる。
【００１８】
本装置においては、前記スイッチが前記電飾装置の上端部に配設されるものであってもよい。
こうすることで点灯者が、外部から供給する導電物を、スイッチの第１電極と第２電極との間に容易かつ確実に介在させることができる。
【００１９】
本発明は結婚式披露宴における演出方法（以下、「本方法」という。）をも提供するものであり、本方法は、本装置を所定の位置に配設する配設ステップと、該配設ステップにより配設された本装置の第１電極と第２電極との間に導電物を介在させる点灯ステップと、を含んでなる、演出方法である。
こうすることで配設ステップにおいて本装置を所定の位置（結婚式披露宴に出席している招待客（観察者）が着席しているテーブルの上面）に配設し、点灯ステップにおいて新郎新婦（点灯者）が、配設ステップにより配設された本装置の第１電極と第２電極との間に導電物を介在させることで、本装置の発光手段を点灯させることができる。
【発明を実施するための最良の形態】
【００２０】
以下、本発明の実施の形態を図面を参照して説明する。しかしながら、これらによって本発明は何ら制限されるものではない。
【００２１】
図１は、一実施形態の本発明の電飾装置（本装置）１１を示す斜視図（理解を助けるため、本体部２１の内部に存在する発光ダイオード６１及びそれらに電気を供給する電線７１（いずれも後述する。）を点線にて示している。）である。図２は、本装置１１のスイッチ部３１（後述する。）の平面図（図１中、矢印Ａ方向から見たところを示している。）であり、図３は図２のＢーＢ断面図（理解を容易にするため、円錐台部２３、電線７１、仕切板８１等を一部示している。）である。そして、図４は、本装置１１に含まれる電気的な部分（具体的には、発光ダイオード６１、それらに電気を供給する電線７１、スイッチ部３１に含まれる第１電極３５と第２電極３７、電池ボックス５１）の構成を示す簡単な回路図である。図１乃至図４を参照して、本装置１１について説明する。
なお、図中、「上」を矢印Ｄ１により、そして「下」を矢印Ｄ２により、それぞれ示した。
本装置１１は、大まかには、ガラスにより形成された本体部２１と、本体部２１により支持され本体部２１の上部に配設されたスイッチ部３１と、所定の電池を内部に含み電気を供給する電池ボックス５１と、電池ボックス５１から電気を供給されることで電気的に発光する複数の発光ダイオード６１と、電池ボックス５１と発光ダイオード６１とを電気的に接続する電線７１と、を備えている。
【００２２】
本体部２１は、ここではガラス製の花瓶（上下方向の寸法（高さ）：約２０〜９０ｃｍ程度）を用いて構成しており、表面に細かな凹凸が付されることで表面が「磨りガラス」になっている。本体部２１は、載置面（ここでは図示しないテーブルの水平な上面）に載置される円盤状の円盤部２５と、円盤部２５と一体に形成された細長い円錐台形状をした中空の円錐台部２３と、を備えており、円錐台部２３の内部２３ａの上部は開放される（開放された部分にスイッチ部３１が配設されている。）と共に円錐台部２３の内部２３ａの下部は円盤部２５により塞がれている。
そして、円錐台部２３の下端近傍には、円錐台部２３の内部２３ａと、円錐台部２３の外部２３ｂと、を連通させる連通孔２３ｈが穿設されている。なお、連通孔２３ｈは、電線７１を内部２３ａと外部２３ｂとの間で通過させるために設けられている。
【００２３】
スイッチ部３１は、樹脂製の円盤形状をした絶縁円盤部３３と、絶縁円盤部３３により互いに向き合うように支持された第１電極３５及び第２電極３７と、を有している。
第１電極３５及び第２電極３７は、いずれも金属（電気的に良好な導体。例えば、ステンレス鋼、鉄、アルミニウム、銅等）製の真っ直ぐな棒状部材（例えば、直径３〜５ｍｍ、長さ２〜３ｃｍの丸棒等を例示することができる。）により形成されており、第１電極３５と第２電極３７とは所定の間隔（図２〜図４中、間隔Ｅ）を隔ててほぼ一直線上になるように絶縁円盤部３３により支持されている。従って、図１〜図４に示した状態では、第１電極３５と第２電極３７との間の間隔（図２〜図４中、間隔Ｅ）により、第１電極３５と第２電極３７との間は電気的に絶縁されている（なお、間隔Ｅは、第１電極３５と第２電極３７との間に導電物（例えば、食塩水、ステンレス（鋼）粉等）が介在していないときには第１電極３５と第２電極３７との間に電気的導通がなく複数の発光ダイオード６１が発光せず、第１電極３５と第２電極３７との間に導電物（例えば、食塩水、ステンレス（鋼）粉等）が介在しているときには第１電極３５と第２電極３７との間の電気的導通により複数の発光ダイオード６１が所望程度発光するものであればいかなるものであってもよく何ら制限されるものではないが、通常、２ｍｍ〜３ｃｍの範囲とされてもよい。）。
絶縁円盤部３３は、電気的に良好な絶縁体である樹脂材料（例えば、ポリエチレンテレフタレート、ポリエチレン、ポリプロピレン等）により一体的に形成されており、円盤の中心から中心円盤部３３ａ（主表面形状が円形）、中心円盤部３３ａを底面とする直円柱の側面部分により構成される第１側面部３３ｂ、第１側面部３３ｂに係る該直円柱の両底面のうち中心円盤部３３ａとは反対側の底面部分に形成されたフランジ形状の第１フランジ部３３ｃ（外縁部分が円形をしており、表面が中心円盤部３３ａとほぼ平行になっている。）、第１フランジ部３３ｃを底面とする直円柱の側面部分により構成される第２側面部３３ｄ、第２側面部３３ｄに係る該直円柱の両底面のうち第１フランジ部３３ｃとは反対側の底面部分に形成されたフランジ形状の第２フランジ部３３ｅ（外縁部分が円形をしており、表面が中心円盤部３３ａ及び第１フランジ部３３ｃとほぼ平行になっている。）を有している。即ち、第２フランジ部３３ｅ、第２側面部３３ｄ、第１フランジ部３３ｃ、第１側面部３３ｂ、中心円盤部３３ａの順で下方に向かって窪んでおり、絶縁円盤部３３全体としては同心円の段輪形状を構成している。
この絶縁円盤部３３のうち中心円盤部３３ａと第１側面部３３ｂとにより構成される有底無蓋（底は中心円盤部３３ａである。）の中空直円柱の内部空間３９に、第１電極３５の一端側と第２電極３７の一端側とが存在している（なお、中心円盤部３３ａとほぼ平行な平面（図１の状態ではほぼ水平面）に、第１電極３５と第２電極３７とがほぼ属する（第１電極３５及び第２電極３７の中心軸が該平面にほぼ属する。）ように第１電極３５と第２電極３７とは絶縁円盤部３３により支持されている。）。
そして、第２フランジ部３３ｅの外縁部分が形成する円形の直径は、円錐台部２３の上縁が形成する円形の直径よりも大きくされているので、第２フランジ部３３ｅの下面が円錐台部２３の上縁に載置されることで（図３において、第２フランジ部３３ｅの下面が円錐台部２３（図３中、点線）の上縁に載置される状態を示している。）、スイッチ部３１は本体部２１により本体部２１上部に支持されている。
【００２４】
電池ボックス５１は、所定の電池を内部に含み、電線７１を通じて複数の発光ダイオード６１を発光させるのに十分な電気を供給することができるよう構成されている（図示していないが、電池ボックス５１は、電池からの電気供給を断続するための主電源断続器を含んでいる。）。
電池ボックス５１は、電線７１によって複数の発光ダイオード６１に接続（図４に示すように、複数の発光ダイオード６１は並列に接続されている。）されている。しかしながら、電線７１の途中にはスイッチ部３１の第１電極３５と第２電極３７とが直列に接続されており（図４を参照されたい）、第１電極３５と第２電極３７との間が電気的に接続され両電極３５、３７間に電流が流れなければ、複数の発光ダイオード６１には電池ボックス５１からの電気が供給されないようになっている。また、電池ボックス５１と電線７１の一端側（電池ボックス５１に接続された側）とは円錐台部２３の外部２３ｂに配置されているが、電線７１の他端側（複数の発光ダイオード６１が取り付けられている側）は円錐台部２３の内部２３ａに配置されている。電線７１は、連通孔２３ｈを経て円錐台部２３の外部２３ｂから内部２３ａへ進入しており、円錐台部２３の内部２３ａにて第１電極３５と第２電極３７とに接続されている（接続の電気的状態は図４を参照されたい。）。なお、図３中に示したように、絶縁円盤部３３のうち中心円盤部３３ａと第１側面部３３ｂとにより構成される有底無蓋の中空直円柱の外部空間３９ｂへ突出した第１電極３５及び第２電極３７の部分に電線７１（点線にて示した。）が接続されている。
【００２５】
ここでは図示していないが、円錐台部２３の内部２３ａには、薄く透明なフィルム（ここでは具体的には、フタムラ化学株式会社（名古屋市）製の商品名「ＦＯＦフィルム」（包装フィルム、ポリプロピレンフィルム））が丸められて充填されており、その丸められたフィルムが電線７１及び発光ダイオード６１に係合することで、これら電線７１及び発光ダイオード６１が円錐台部２３の内部２３ａにおいて支持されている。
また、かかる丸められたフィルムは、複数の発光ダイオード６１の発光により生じる光を反射及び／又は屈折し干渉する作用を有している（光干渉手段）。
そして、円錐台部２３の内部２３ａ（複数の発光ダイオード６１を保護等するため）に異物（例えば、水分等）が進入しないように、スイッチ部３１の下方には仕切板８１が設けられている（電線７１は、第１電極３５と第２電極３７とに接続されるため、仕切板８１を貫通している。）。なお、仕切板８１は必須のものではない。
【００２６】
図５は、図１乃至図４により説明した本装置１１が備える複数の発光ダイオード６１を点灯させる方法を説明した断面図（図３と同様の断面を示している。）である。
本装置１１を用いた結婚式披露宴における演出方法を例にとって説明する。
まず、本装置１１を、図１に示すように所定の位置（例えば、結婚式披露宴に出席している招待客（観察者）が着席しているテーブルの上面（略水平面））に配設する（配設ステップ）。
次いで、配設ステップにより配設された本装置１１の第１電極３５と第２電極３７との間に導電物９１（例えば、食塩水、ステンレス（鋼）粉等）を介在させる（点灯ステップ）。具体的には、新郎新婦（点灯者）が、絶縁円盤部３３のうち中心円盤部３３ａと第１側面部３３ｂとにより構成される有底無蓋の中空直円柱の内部空間３９に、導電物９１（例えば、食塩水、ステンレス（鋼）粉等）を上方から供給（導電物９１として食塩水を用いれば注入、導電物９１としてステンレス（鋼）粉を用いれば投入）する。図５はこの状態を示したものであり、第１電極３５と第２電極３７との間に導電物９１（例えば、食塩水、ステンレス（鋼）粉等）が介在している。
この第１電極３５と第２電極３７との間の導電物９１介在により、第１電極３５と第２電極３７との間が電気的に接続され両電極３５、３７間に電流が流れるようになり、複数の発光ダイオード６１に電池ボックス５１から電気が供給されることで複数の発光ダイオード６１が点灯する。
なお、逆に、第１電極３５と第２電極３７との間の導電物９１を取り除けば、第１電極３５と第２電極３７との間が電気的に絶縁され両電極３５、３７間に電流が流れなくなり、複数の発光ダイオード６１に電池ボックス５１から電気が供給されなくなることで複数の発光ダイオード６１が消灯する。
【００２７】
図１乃至図４により説明した本装置１１の製造方法について簡単に説明する。
第１に、本体部２１と、スイッチ部３１と、電池ボックス５１と、電線７１によって接続された複数の発光ダイオード６１と、薄く透明なフィルム（ここでは具体的には、フタムラ化学株式会社（名古屋市）製の商品名「ＦＯＦフィルム」（包装フィルム、ポリプロピレンフィルム））と、仕切板８１を形成するための樹脂製の円盤部材と、を準備する。
本体部２１は、前述のように、ここではガラス製の花瓶（上下方向の寸法（高さ）：約２０〜９０ｃｍ程度）を用いて構成しているので、かかるガラス製の花瓶を入手（購入等）する。本体部２１の表面は細かな凹凸が付されることで「磨りガラス」にされているので、該入手したガラス製の花瓶の表面がこのように細かな凹凸が付されることで「磨りガラス」にされていない場合には、該表面にこのような細かな凹凸を付して「磨りガラス」にするような処理（例えば、サンドブラスト等）を施すようにしてもよい。そして、該入手したガラス製の花瓶に連通孔２３ｈを穿設し、本体部２１を準備する。
スイッチ部３１は、樹脂材料を成形加工（例えば、射出成形）することで絶縁円盤部３３を形成する。次いで、第１電極３５及び第２電極３７とを金属製の線材等を切断等して形成する。そして、第１電極３５及び第２電極３７を貫通させるための孔を絶縁円盤部３３の所定位置に穿設し、該穿設した孔に第１電極３５及び第２電極３７を貫通させ接着剤等により固定することで、スイッチ部３１を準備する。
電池ボックス５１は、その内部に配設される電池を含めて入手（購入等）することで、準備する。
電線７１によって接続された複数の発光ダイオード６１は、図４に示したように複数の発光ダイオード６１が並列に接続されると共に、後で、電池ボックス５１と、スイッチ部３１の第１電極３５及び第２電極３７と、に接続可能なものを準備する（具体的には、後述するように、第１電極３５及び第２電極３７に接続されるべき部分と、電池ボックス５１に接続されるべき部分と、を電線７１に設けておく。）。
薄く透明なフィルム（ここでは具体的には、フタムラ化学株式会社（名古屋市）製の商品名「ＦＯＦフィルム」（包装フィルム、ポリプロピレンフィルム））は、円錐台部２３の内部２３ａに丸めて充填するのに必要な量を入手（購入等）し準備する。
仕切板８１を形成するための樹脂製の円盤部材は、樹脂製の板状部材から切削加工（切り出し）等により形成し準備する。なお、仕切板８１を形成するための樹脂製の円盤部材には、電線７１を貫通させるための電線用孔（ここでは２個）を穿設しておく。
【００２８】
第２に、第１において準備した薄く透明なフィルム（ここでは具体的には、フタムラ化学株式会社（名古屋市）製の商品名「ＦＯＦフィルム」（包装フィルム、ポリプロピレンフィルム））を円錐台部２３の内部２３ａにうまく収まるよう（内部２３ａはほぼ円錐台形状をしているので、それに似せた形状になるようにすればよい。）に丸める。そして、図６に示すように、丸めた薄く透明なフィルム９５に、第１において準備した「電線７１によって接続された複数の発光ダイオード６１」を巻き付け係合させる。このとき電線７１のうち第１電極３５及び第２電極３７に接続されるべき部分７３、７５が上方にのびるように、そして電池ボックス５１に接続されるべき部分７７、７９が下方にのびるようにしておく。
第３に、第２において形成したもの（図６に示したように、丸めた薄く透明なフィルム９５に、電線７１によって接続された複数の発光ダイオード６１を巻き付け係合させたもの）を円錐台部２３の内部２３ａに収容（挿入）する。このとき電池ボックス５１に接続されるべき部分７７、７９が、連通孔２３ｈから円錐台部２３の外部２３ｂに突出するようにすると共に、第１電極３５及び第２電極３７に接続されるべき部分７３、７５が上方に向かってのびているような状態にしておく。
【００２９】
第４に、仕切板８１を形成するための樹脂製の円盤部材を、円錐台部２３の内部２３ａの所定位置に配設する（円錐台部２３の内面と仕切板８１の外縁とを接着等により固定する。）。なお、このとき第１電極３５及び第２電極３７に接続されるべき部分７３、７５が仕切板８１の上方に突出するよう、該円盤部材に穿設された電線７１を貫通させるための電線用孔に電線７１を貫通させる。
第５に、第１電極３５及び第２電極３７に接続されるべき部分７３、７５を、それぞれ第１電極３５及び第２電極３７に接続する。この接続はいかなる方法がとられてもよく何ら制限されないが、例えば、部分７３、７５にクリップ（図示せず）を取り付け、このクリップにより第１電極３５及び第２電極３７を挟むこと（こうすれば脱着が容易である。）、溶接、圧着等を例示することができる。
第６に、第２フランジ部３３ｅの下面が円錐台部２３の上縁に載置されるようにスイッチ部３１を本体部２１上部に支持させる。
第７に、電池ボックス５１に接続されるべき部分７７、７９を電池ボックス５１に接続する。
以上のようにして、図１乃至図４により説明した本装置１１が完成される。
【００３０】
以上説明したように本装置１１は、電気的に発光する発光手段たる複数の発光ダイオード６１と、該発光手段たる複数の発光ダイオード６１へ供給される電気を断続するスイッチたるスイッチ部３１と、を備えてなる電飾装置であって、該スイッチたるスイッチ部３１が、第１電極３５と第２電極３７とを有してなり、第１電極３５と第２電極３７との間に、外部から供給される導電物９１（例えば、食塩水、ステンレス（鋼）粉等。特に、図５を参照されたい。）を介在させることで該導電物９１を通じて該発光手段たる複数の発光ダイオード６１へ電気が供給されるものである、電飾装置である。
そして、本装置１１は、第１電極３５の少なくとも一部と第２電極３７の少なくとも一部とが、上方が開放された開放空間（絶縁円盤部３３のうち中心円盤部３３ａと第１側面部３３ｂとにより構成される有底無蓋の中空直円柱の内部空間３９）に存在しており、前記導電物９１（例えば、食塩水、ステンレス（鋼）粉等）が該開放空間（有底無蓋の中空直円柱の内部空間３９）に上方から供給されることで第１電極３５と第２電極３７との間に介在させることができるものである。
また、ここでは前記導電物９１が導電性の液体（食塩水）、粉体（ステンレス（鋼）粉）又は粒体（ステンレス（鋼）粒）である。
加えて、本装置１１においては、前記開放空間（有底無蓋の中空直円柱の内部空間３９）に存在する第１電極３５の最下部分と第２電極３７の最下部分とのうち高い方（ここでは第１電極３５の最下部分と第２電極３７の最下部分とが同じ高さであるので、この同じ（高さ）位置）を含む水平面以下の前記開放空間（有底無蓋の中空直円柱の内部空間３９）が、前記導電物９１（例えば、食塩水、ステンレス（鋼）粉等）を保持する容器（絶縁円盤部３３のうち中心円盤部３３ａと第１側面部３３ｂとにより構成される有底無蓋の中空直円柱形状の容器）の内部空間により形成されている。
【００３１】
本装置１１は、前記発光手段が複数の発光体たる複数の発光ダイオード６１を含んでなり、該複数の発光体たる複数の発光ダイオード６１のうち少なくとも２の発光体が互いに異なる高さ（例えば、図１において、各発光ダイオード６１の高さはそれぞれ異なる。）になるように該複数の発光体たる複数の発光ダイオード６１を支持する支持手段（ここでは本体部２１と、円錐台部２３の内部２３ａに充填された丸めた薄く透明なフィルム９５と、を含んで構成される。）をさらに備えてなるものである。
そして、本装置１１においては、前記支持手段（本体部２１と、円錐台部２３の内部２３ａに充填された丸めた薄く透明なフィルム９５と、を含む。）は、鉛直方向に所定の大きさを有し前記複数の発光体たる複数の発光ダイオード６１が配設される内部空間（円錐台部２３の内部２３ａ）を規定する壁部材（ここでは円錐台部２３を構成する壁の部分が該当する。この壁の部分により円錐台部２３の外部２３ｂと、円錐台部２３の内部２３ａと、が仕切られている。）を有するものであり、前記複数の発光体たる複数の発光ダイオード６１の発光が、該壁部材（円錐台部２３の壁の部分）を通して目視可能なものである。
また、前記壁部材（円錐台部２３の壁の部分）の表面又は裏面の少なくとも一方（ここでは円錐台部２３の外部２３ｂに面する表面）が細かな凹凸が付されている（磨りガラス）。
前記複数の発光体たる複数の発光ダイオード６１の発光により生じる光を反射又は屈折する前記内部空間（円錐台部２３の内部２３ａ）に配設される光干渉手段（円錐台部２３の内部２３ａに充填された丸めた薄く透明なフィルム９５）を前記支持手段（本体部２１と、円錐台部２３の内部２３ａに充填された丸めた薄く透明なフィルム９５と、を含む。）が有する。
前記光干渉手段（円錐台部２３の内部２３ａに充填された丸めた薄く透明なフィルム９５）が、前記内部空間（円錐台部２３の内部２３ａ）にて該複数の発光体たる複数の発光ダイオード６１に係合し支持する。
加えて、ここでは前記スイッチたるスイッチ部３１が本装置１１の上端部に配設されるものである。
【００３２】
前記した本装置１１を用いた結婚式披露宴における演出方法は、結婚式披露宴における演出方法であって、本装置１１を所定の位置（例えば、結婚式披露宴に出席している招待客（観察者）が着席しているテーブルの上面（略水平面））に配設する配設ステップと、該配設ステップにより配設された本装置１１の第１電極３５と第２電極３７との間に新郎新婦（点灯者）が導電物９１（例えば、食塩水、ステンレス（鋼）粉等）を介在させる点灯ステップと、を含んでなる、演出方法である。なお、点灯ステップにおいて第１電極３５と第２電極３７との間に導電物９１（例えば、食塩水、ステンレス（鋼）粉等）を介在させるには、新郎新婦（点灯者）が、絶縁円盤部３３のうち中心円盤部３３ａと第１側面部３３ｂとにより構成される有底無蓋の中空直円柱の内部空間３９に、導電物９１（例えば、食塩水、ステンレス（鋼）粉等）を上方から供給（導電物９１として食塩水を用いれば注入、導電物９１としてステンレス（鋼）粉を用いれば投入）するようにすればよい。
【００３３】
次いで、別の実施形態（以下、「別形態」という。）について説明する。
別形態は、図１〜図６を用いて既に説明した本装置１１に比して、スイッチ部と、外部から供給される導電物と、が主として異なるのみであり、それら以外の点は既に説明した本装置１１と同様であるので、これら異なるスイッチ部と導電物とについて説明し、それ以外の同様の点についての説明は省略する。
図７は、別形態の本装置のスイッチ部１３１の平面図（本装置１１における図２と同様の位置を見たところを示している。）であり、図８は図７のＦーＦ断面図である。別形態の本装置は、前述のように、図１〜図６を用いて既に説明した本装置１１のスイッチ部３１をスイッチ部１３１に置換したものである。
【００３４】
スイッチ部１３１は、樹脂製の円盤形状をした絶縁円盤部１３３と、絶縁円盤部１３３により支持された第１電極１３５及び第２電極１３７と、を有している。
第１電極１３５及び第２電極１３７は、いずれも金属（電気的に良好な導体。例えば、ステンレス鋼、鉄、アルミニウム、銅等）製の両主表面が平面に沿った平板部材により形成されており、ここでは第１電極１３５及び第２電極１３７のいずれも主表面が半円形状になるように形成されている。第１電極１３５と第２電極１３７とは所定の間隔（図７及び図８中、間隔Ｇ）を隔てて絶縁円盤部１３３により支持されている。従って、図７及び図８に示した状態では、第１電極１３５と第２電極１３７との間の間隔（図７及び図８中、間隔Ｇ）により、第１電極１３５と第２電極１３７との間は電気的に絶縁されている（なお、間隔Ｇは、第１電極１３５と第２電極１３７との間に導電物（例えば、ステンレス（鋼）板等）が介在していないときには第１電極１３５と第２電極１３７との間に電気的導通がなく複数の発光ダイオード６１が発光せず、第１電極１３５と第２電極１３７との間に導電物（例えば、ステンレス（鋼）板等）が介在しているときには第１電極１３５と第２電極１３７との間の電気的導通により複数の発光ダイオード６１が所望程度発光するものであればいかなるものであってもよく何ら制限されるものではないが、通常、２ｍｍ〜３ｃｍの範囲とされてもよい。）。また、第１電極１３５の上面１３５ａと第２電極１３７の上面１３７ａとが同一の平面（ここでは水平面）に略属するように、絶縁円盤部１３３により支持されている。
【００３５】
絶縁円盤部１３３は、電気的に良好な絶縁体である樹脂材料（例えば、ポリエチレンテレフタレート、ポリエチレン、ポリプロピレン等）により一体的に形成されており、円盤の中心から中心円盤部１３３ａ（主表面形状が円形）、中心円盤部１３３ａを底面とする直円柱の側面部分により構成される側面部１３３ｂ、側面部１３３ｂに係る該直円柱の両底面のうち中心円盤部１３３ａとは反対側の底面部分に形成されたフランジ形状のフランジ部１３３ｃ（外縁部分が円形をしており、表面が中心円盤部１３３ａとほぼ平行になっている。）を有している。即ち、フランジ部１３３ｃ、側面部１３３ｂ、中心円盤部１３３ａの順で下方に向かって窪んでおり、絶縁円盤部１３３全体としては同心円の段輪形状を構成している。
この絶縁円盤部１３３のうち中心円盤部１３３ａと側面部１３３ｂとにより構成される有底無蓋（底は中心円盤部１３３ａである。）の中空直円柱の内部空間１３９に、第１電極１３５と第２電極１３７とが存在している（なお、第１電極１３５の上面１３５ａと第２電極１３７の上面１３７ａとは中心円盤部１３３ａの上面に略平行になるように、第１電極１３５と第２電極１３７とは中心円盤部１３３ａの上面に接着され配設されている。また、第１電極１３５及び第２電極１３７のいずれも主表面が半円形状になっているが、この両半円の弦（半円であるので中心を通る）が略平行になるように第１電極１３５と第２電極１３７とは配設されている。）。
そして、フランジ部１３３ｃの外縁部分が形成する円形の直径は、円錐台部２３の上縁が形成する円形の直径よりも大きくされているので、フランジ部１３３ｃの下面が円錐台部２３の上縁に載置されることで（図１〜図６を用いて既に説明した本装置１１のスイッチ部３１が、図３に示したように第２フランジ部３３ｅの下面が円錐台部２３の上縁に載置されるのと同様に）、スイッチ部１３１は本体部２１により本体部２１上部に支持される。
なお、スイッチ部１３１においては、第１電極１３５（第１電極１３５の下面）に一端が接続された第１電線１３６と、第２電極１３７（第２電極１３７の下面）に一端が接続された第２電線１３８と、が設けられており、これら第１電線１３６と第２電線１３８とは絶縁円盤部１３３（中心円盤部１３３ａ）を貫通し、中心円盤部１３３ａと側面部１３３ｂとにより構成される有底無蓋の中空直円柱の内部空間１３９の外にのびている。この第１電線１３６と第２電線１３８とは電線７１に接続されることで、第１電極１３５及び第２電極１３７を電線７１に接続するために用いられるものである（図４において、第１電極３５を第１電極１３５に、そして第２電極３７を第２電極１３７に、それぞれ置き換えて参照されたい。）。
【００３６】
図９は、別形態の外部から供給される導電物１９１を示す斜視図である。
導電物１９１は、ステンレス（鋼）板により形成された両主表面（上面１９１ａと下面１９１ｂ）が略円形をした円盤状の部材により形成されている。
一方、導電物１９１の上面１９１ａのうち上面１９１ａが形成する略円形の中心部分には、棒状部材１９２（ステンレス（鋼）製の丸棒）の下端が取り付けられている（棒状部材１９２の長手方向が上面１９１ａに対して略垂直になっている。）。そして、棒状部材１９２の上端には、手で把持可能な装飾物１９４（具体的には、動物たる鳥の模型）が取り付けられている。図９に示した装飾物１９４と棒状部材１９２と導電物１９１とが一緒になったものは、テーブルの略水平な上面（図示せず）に導電物１９１の下面１９１ｂが載置されることで、図９に示したように自立可能になっている。
【００３７】
別形態の本装置が備える複数の発光ダイオード６１を点灯させる方法を説明する。別形態の本装置を用いた結婚式披露宴における演出方法を例にとって説明する。
まず、別形態の本装置を、本装置１１と同様に図１に示すように所定の位置（例えば、結婚式披露宴に出席している招待客（観察者）が着席しているテーブルの上面（略水平面））に配設する（配設ステップ）。
次いで、配設ステップにより配設された別形態の本装置の第１電極１３５と第２電極１３７との間に導電物１９１を介在させる（点灯ステップ）。具体的には、新郎新婦（点灯者）が、装飾物１９４を手で把持し、絶縁円盤部１３３のうち中心円盤部１３３ａと側面部１３３ｂとにより構成される有底無蓋の中空直円柱の内部空間１３９に、導電物１９１（ステンレス（鋼）製の円盤状部材）を上方から供給する。図１０は、内部空間１３９に導電物１９１が供給された状態を示したもの（図８と同様の断面を示している。）であり、第１電極１３５と第２電極１３７との間に導電物１９１が介在している。具体的には、第１電極１３５の上面１３５ａと第２電極１３７の上面１３７ａとに導電物１９１の下面１９１ｂが載置され接触している。
この第１電極１３５と第２電極１３７との間の導電物１９１の介在により、第１電極１３５と第２電極１３７との間が電気的に接続され両電極１３５、１３７間に電流が流れるようになり、複数の発光ダイオード６１に電池ボックス５１から電気が供給されることで複数の発光ダイオード６１が点灯する。
なお、逆に、第１電極１３５と第２電極１３７との間の導電物１９１を取り除けば（装飾物１９４を手で把持して引き上げればよい。）、第１電極１３５と第２電極１３７との間が電気的に絶縁され両電極１３５、１３７間に電流が流れなくなり、複数の発光ダイオード６１に電池ボックス５１から電気が供給されなくなることで複数の発光ダイオード６１が消灯する。
【００３８】
別形態の本装置の製造方法は、既に説明した本装置１１の製造方法と同様に行えばよいが、本装置１１の製造方法と異なる部分について簡単に説明する。
第１に、本体部２１と、スイッチ部１３１と、電池ボックス５１と、電線７１によって接続された複数の発光ダイオード６１と、薄く透明なフィルム（ここでは具体的には、フタムラ化学株式会社（名古屋市）製の商品名「ＦＯＦフィルム」（包装フィルム、ポリプロピレンフィルム））と、仕切板８１を形成するための樹脂製の円盤部材と、を準備する。本体部２１、電池ボックス５１、薄く透明なフィルム、仕切板８１を形成するための樹脂製の円盤部材については本装置１１のものと同様である。
スイッチ部１３１は、樹脂材料を成形加工（例えば、射出成形）することで絶縁円盤部１３３を形成する。次いで、第１電極１３５及び第２電極１３７とを金属製の平板等を切断（例えば、打ち抜き等）等して形成する。そして、第１電線１３６及び第２電線１３８を、第１電極１３５及び第２電極１３７に取り付ける（例えば、溶接等）。第１電線１３６と第２電線１３８を貫通させるための孔を絶縁円盤部１３３の所定位置に穿設し、該穿設した孔に第１電線１３６と第２電線１３８を貫通させ、第１電極１３５及び第２電極１３７を絶縁円盤部１３３に接着剤等により固定することで、スイッチ部１３１を準備する。
電線７１によって接続された複数の発光ダイオード６１は、図４に示したように複数の発光ダイオード６１が並列に接続されると共に、後で、電池ボックス５１と、第１電線１３６及び第２電線１３８と、に接続可能なものを準備する（具体的には、後述するように、第１電線１３６と第２電線１３８に接続されるべき部分と、電池ボックス５１に接続されるべき部分と、を電線７１に設けておく。）。
【００３９】
第２に、本装置１１と同様に、第１において準備した薄く透明なフィルムを円錐台部２３の内部２３ａにうまく収まるように丸め、図６に示すように、丸めた薄く透明なフィルム９５に、第１において準備した「電線７１によって接続された複数の発光ダイオード６１」を巻き付け係合させる。このとき電線７１のうち第１電線１３６と第２電線１３８に接続されるべき部分７３、７５が上方にのびるように、そして電池ボックス５１に接続されるべき部分７７、７９が下方にのびるようにしておく。
第３に、本装置１１と同様に、第２において形成したもの（図６に示したように、丸めた薄く透明なフィルム９５に、電線７１によって接続された複数の発光ダイオード６１を巻き付け係合させたもの）を円錐台部２３の内部２３ａに収容（挿入）する。このとき電池ボックス５１に接続されるべき部分７７、７９が、連通孔２３ｈから円錐台部２３の外部２３ｂに突出するようにすると共に、第１電線１３６と第２電線１３８に接続されるべき部分７３、７５が上方に向かってのびているような状態にしておく。
【００４０】
第４に、本装置１１と同様に、仕切板８１を形成するための樹脂製の円盤部材を、円錐台部２３の内部２３ａの所定位置に配設する（円錐台部２３の内面と仕切板８１の外縁とを接着等により固定する。）。なお、このとき第１電線１３６と第２電線１３８に接続されるべき部分７３、７５が仕切板８１の上方に突出するよう、該円盤部材に穿設された電線７１を貫通させるための電線用孔に電線７１を貫通させる。
第５に、第１電線１３６と第２電線１３８に接続されるべき部分７３、７５を、それぞれ第１電線１３６と第２電線１３８に接続する。この接続はいかなる方法がとられてもよく何ら制限されないが、例えば、部分７３、７５にクリップ（図示せず）を取り付け、このクリップにより第１電線１３６と第２電線１３８を挟むこと（こうすれば脱着が容易である。）、溶接、圧着等を例示することができる。
第６に、フランジ部１３３ｃの下面が円錐台部２３の上縁に載置されるようスイッチ部１３１を本体部２１上部に支持させる。
第７に、電池ボックス５１に接続されるべき部分７７、７９を電池ボックス５１に接続する。
以上のようにして、別形態の本装置が完成される。
なお、図９に示した装飾物１９４と棒状部材１９２と導電物１９１とが一緒になったものは、従来から知られた方法（例えば、棒状部材１９２と導電物１９１とを準備し、これらを取り付け（例えば、溶接）、その後、装飾物１９４を接着等すればよい。）により製造することができるので、ここでは説明を省略する。
【００４１】
以上説明した別形態の本装置は、電気的に発光する発光手段たる複数の発光ダイオード６１と、該発光手段たる複数の発光ダイオード６１へ供給される電気を断続するスイッチたるスイッチ部１３１と、を備えてなる電飾装置であって、該スイッチたるスイッチ部１３１が、第１電極１３５と第２電極１３７とを有してなり、第１電極１３５と第２電極１３７との間に、外部から供給される導電物１９１を介在させることで該導電物１９１を通じて該発光手段たる複数の発光ダイオード６１へ電気が供給されるものである、電飾装置である。
そして、第１電極１３５の少なくとも一部（ここでは全部）と第２電極１３７の少なくとも一部（ここでは全部）とが、上方が開放された開放空間（絶縁円盤部１３３のうち中心円盤部１３３ａと側面部１３３ｂとにより構成される有底無蓋（底は中心円盤部１３３ａである。）の中空直円柱の内部空間１３９）に存在しており、前記導電物１９１が該開放空間（有底無蓋の中空直円柱の内部空間１３９）に上方から供給されることで第１電極１３５と第２電極１３７との間に介在させることができるものである。
【００４２】
第１電極１３５の上面１３５ａと第２電極１３７の上面１３７ａとが同一の平面に略属するものであり、前記導電物１９１が、略平面に沿った下面１９１ｂを有してなる導電部材（導電物１９１を構成するステンレス（鋼）製の円盤状部材）を含んでなるものであり、第１電極１３５の上面１３５ａと第２電極１３７の上面１３７ａとに該下面１９１ｂが載置されることで第１電極１３５と第２電極１３７との間に前記導電物１９１が介在可能なものである。
そして、前記開放空間（有底無蓋の中空直円柱の内部空間１３９）が、下方に向かって窪む凹部（絶縁円盤部１３３のうち中心円盤部１３３ａと側面部１３３ｂとにより構成される部分）の内部空間により形成されるものであり、該凹部の内部空間を規定する壁（ここでは絶縁円盤部１３３のうち側面部１３３ｂの内壁）により前記導電物１９１の水平方向への移動が制限される（具体的には、図１０に示すように、導電物１９１が水平方向へある程度以上移動しようとすると、導電物１９１の外縁が側面部１３３ｂの内壁に当接し、それ以上の移動が制限される。）。
また、ここでは手で把持可能な装飾物１９４が前記導電物１９１の上部に付加されている。
【００４３】
前記発光手段が複数の発光体たる複数の発光ダイオード６１を含んでなり、該複数の発光体たる複数の発光ダイオード６１のうち少なくとも２の発光体が互いに異なる高さ（例えば、図１において、各発光ダイオード６１の高さはそれぞれ異なる。）になるように該複数の発光体たる複数の発光ダイオード６１を支持する支持手段（ここでは本体部２１と、円錐台部２３の内部２３ａに充填された丸めた薄く透明なフィルム９５と、を含んで構成される。）をさらに備えてなるものである。
そして、前記支持手段（本体部２１と、円錐台部２３の内部２３ａに充填された丸めた薄く透明なフィルム９５と、を含む。）は、鉛直方向に所定の大きさを有し前記複数の発光体たる複数の発光ダイオード６１が配設される内部空間（円錐台部２３の内部２３ａ）を規定する壁部材（ここでは円錐台部２３を構成する壁の部分が該当する。この壁の部分により円錐台部２３の外部２３ｂと、円錐台部２３の内部２３ａと、が仕切られている。）を有するものであり、前記複数の発光体の発光たる複数の発光ダイオード６１が、該壁部材（円錐台部２３の壁の部分）を通して目視可能なものである。
前記壁部材（円錐台部２３の壁の部分）の表面又は裏面の少なくとも一方（ここでは円錐台部２３の外部２３ｂに面する表面）が細かな凹凸が付されている（磨りガラス）。
前記複数の発光体たる複数の発光ダイオード６１の発光により生じる光を反射又は屈折する前記内部空間（円錐台部２３の内部２３ａ）に配設される光干渉手段（円錐台部２３の内部２３ａに充填された丸めた薄く透明なフィルム９５）を前記支持手段（本体部２１と、円錐台部２３の内部２３ａに充填された丸めた薄く透明なフィルム９５と、を含む。）が有するものである。
前記光干渉手段（円錐台部２３の内部２３ａに充填された丸めた薄く透明なフィルム９５）が、前記内部空間（円錐台部２３の内部２３ａ）にて該複数の発光体たる複数の発光ダイオード６１に係合し支持するものである。
前記スイッチたるスイッチ部１３１が別形態の本装置の上端部に配設されるものである。
【００４４】
前記した別形態の本装置を用いた結婚式披露宴における演出方法は、結婚式披露宴における演出方法であって、別形態の本装置を所定の位置（例えば、結婚式披露宴に出席している招待客（観察者）が着席しているテーブルの上面（略水平面））に配設する配設ステップと、該配設ステップにより配設された別形態の本装置の第１電極１３５と第２電極１３７との間に新郎新婦（点灯者）が導電物１９１を介在させる点灯ステップと、を含んでなる、演出方法である。なお、点灯ステップにおいて第１電極１３５と第２電極１３７との間に導電物１９１を介在させるには、新郎新婦（点灯者）が、装飾物１９４を手で把持し、絶縁円盤部１３３のうち中心円盤部１３３ａと側面部１３３ｂとにより構成される有底無蓋の中空直円柱の内部空間１３９に、導電物１９１（ステンレス（鋼）製の円盤状部材）を上方から供給すればよい（図１０のように、第１電極１３５の上面１３５ａと第２電極１３７の上面１３７ａとに導電物１９１の下面１９１ｂが載置され接触するようにすればよい。）。
【図面の簡単な説明】
【００４５】
【図１】一実施形態の本発明の電飾装置（本装置）を示す斜視図である。
【図２】本装置のスイッチ部の平面図である。
【図３】図２のＢーＢ断面図である。
【図４】本装置に含まれる電気的な部分の構成を示す簡単な回路図である。
【図５】本装置が備える複数の発光ダイオードを点灯させる方法を説明した断面図である。
【図６】本装置を製造する第２工程において、電線によって接続された複数の発光ダイオードを、丸めた薄く透明なフィルムに巻き付け係合させた状態を示す図である。
【図７】別形態の本装置のスイッチ部の平面図である。
【図８】図７のＦーＦ断面図である。
【図９】別形態の外部から供給される導電物を示す斜視図である。
【図１０】別形態の本装置が備える複数の発光ダイオードを点灯させる方法を説明した断面図である。
【符号の説明】
【００４６】
１１        一実施形態の本発明の電飾装置（本装置）
２１        本体部
２３        円錐台部
２３ａ      内部
２３ｂ      外部
２３ｈ      連通孔
２５        円盤部
３１        スイッチ部
３３        絶縁円盤部
３３ａ      中心円盤部
３３ｂ      第１側面部
３３ｃ      第１フランジ部
３３ｄ      第２側面部
３３ｅ      第２フランジ部
３５        第１電極
３７        第２電極
３９        内部空間
３９ｂ      外部空間
５１        電池ボックス
６１        発光ダイオード
７１        電線
７３、７５、７７、７９  接続されるべき部分
８１        仕切板
９１        導電物
９５        丸めた薄く透明なフィルム
１３１        別形態の本装置のスイッチ部
１３３        絶縁円盤部
１３３ａ      中心円盤部
１３３ｂ      側面部
１３３ｃ      フランジ部
１３５        第１電極
１３６        第１電線
１３５ａ      上面
１３７        第２電極
１３７ａ      上面
１３８        第２電線
１３９        内部空間
１９１        導電物
１９１ａ      上面
１９１ｂ      下面
１９２        棒状部材
１９４        装飾物
【図１】
2007035284.tif 000003
【図２】
2007035284.tif 000004
【図３】
2007035284.tif 000005
【図４】
2007035284.tif 000006
【図５】
2007035284.tif 000007
【図６】
2007035284.tif 000008
【図７】
2007035284.tif 000009
【図８】
2007035284.tif 000010
【図９】
2007035284.tif 000011
【図１０】
2007035284.tif 000012